(57)【要約】【課題】製本後の厚みを考慮した綴じ代幅調節を行う中綴じ製本印刷において画像切れを生じさせず適切な面付けをする。【解決手段】中綴じ製本印刷における綴じ代幅の初期設定値と、用紙ごとに決定されるクリープ綴じ代幅と、を検知する綴じ代検知部１３２２と、検知された前記初期設定値と前記クリープ綴じ代幅と用紙サイズに基づいて用紙ごとの印刷領域を決定する印刷領域計算部１３２３と、前記印刷領域に面付ける画像の画像サイズと、決定した用紙ごとの前記印刷領域とを比較し、前記画像が前記印刷領域をはみ出るか否かを判定する印刷領域画像サイズ比較部１３２５と、判定の結果、はみ出る場合に、前記画像サイズが前記印刷領域に収まるように前記画像を縮小する画像変倍部１３２６と、を備える。【選択図】図３
2013110557.tif 000002
【特許請求の範囲】
【請求項１】
中綴じ製本印刷における綴じ代幅の初期設定値と、用紙ごとに決定されるクリープ綴じ代幅と、を検知する綴じ代検知手段と、
検知された前記初期設定値と前記クリープ綴じ代幅と用紙サイズに基づいて用紙ごとの印刷領域を決定する印刷領域計算手段と、
前記印刷領域に面付ける画像の画像サイズと、決定した用紙ごとの前記印刷領域とを比較し、前記画像が前記印刷領域をはみ出るか否かを判定する印刷領域画像サイズ比較手段と、
判定の結果、はみ出る場合に、前記画像サイズが前記印刷領域に収まるように前記画像を縮小する画像変倍手段と、
を備えることを特徴とする画像形成装置。
【請求項２】
前記印刷領域画像サイズ比較手段による判定の結果、はみ出る場合に、枠消去幅を前記画像変倍手段による変倍率に合わせて再計算する枠消去幅再計算手段を備えることを特徴とする請求項１記載の画像形成装置。
【請求項３】
前記印刷領域画像サイズ比較手段による判定の結果、はみ出る場合に、印字位置を前記画像変倍手段による変倍率に合わせて再計算する印字位置再計算手段を備えることを特徴とする請求項１又は２記載の画像形成装置。
【請求項４】
前記印刷領域画像サイズ比較手段による判定の結果、はみ出る場合に、小口裁断に用いる裁断ラインの位置を前記画像変倍手段による変倍率に合わせて再計算する裁断時画像サイズ再計算手段を備えることを特徴とする請求項１から３のいずれか１項記載の画像形成装置。
【請求項５】
前記裁断時画像サイズ再計算手段は、前記印刷領域画像サイズ比較手段による判定の結果、はみ出る場合に、天地裁断に用いる裁断ラインの位置を前記画像変倍手段による変倍率に合わせて再計算することを特徴とする請求項４記載の画像形成装置。
【請求項６】
中綴じ製本印刷における綴じ代幅の初期設定値と、用紙ごとに決定されるクリープ綴じ代幅と、を検知する綴じ代検知工程と、
検知された前記初期設定値と前記クリープ綴じ代幅と用紙サイズに基づいて用紙ごとの印刷領域を決定する印刷領域計算工程と、
前記印刷領域に面付ける画像の画像サイズと、決定した用紙ごとの前記印刷領域とを比較し、前記画像が前記印刷領域をはみ出るか否かを判定する印刷領域画像サイズ比較工程と、
判定の結果、はみ出る場合に、前記画像サイズが前記印刷領域に収まるように前記画像を縮小する画像変倍工程と、
を含むことを特徴とする画像形成方法。
【請求項７】
コンピュータを、
中綴じ製本印刷における綴じ代幅の初期設定値と、用紙ごとに決定されるクリープ綴じ代幅と、を検知する綴じ代検知手段と、
検知された前記初期設定値と前記クリープ綴じ代幅と用紙サイズに基づいて用紙ごとの印刷領域を決定する印刷領域計算手段と、
前記印刷領域に面付ける画像の画像サイズと、決定した用紙ごとの前記印刷領域とを比較し、前記画像が前記印刷領域をはみ出るか否かを判定する印刷領域画像サイズ比較手段と、
判定の結果、はみ出る場合に、前記画像サイズが前記印刷領域に収まるように前記画像を縮小する画像変倍手段として動作させることを特徴とするプログラム。
【発明の詳細な説明】
【技術分野】
【０００１】
本発明は、画像形成装置、画像形成方法及びプログラムに関し、特に、中綴じ製本印刷を高品位に行うための技術に関する。
【背景技術】
【０００２】
高機能化が進む画像形成装置の中には後処理装置（フィニッシャ）を備え、中綴じ製本機能や綴じ代機能を有するものがある。中綴じ製本機能とは、両面印刷及び集約印刷（特に２面を１面に集約するいわゆる「２ｉｎ１」）を行いフィニッシャにより用紙の中央を折り曲げて綴じ、製本する機能である。一方で、綴じ代機能とは、用紙を中折りした際の折り目の部分から余白部を付加する機能である。
【０００３】
しかしながら、中綴じ製本を行うと製本に要する用紙の枚数が増加するにつれて内側の用紙が外へはみ出す。用紙の端部が階段状になってしまい、見栄えをよくするために小口を裁ち落としすると、綴じ代機能により余白部が付加されていたとしても印刷領域までトリミングしてしまう可能性がある。特許文献１は、このような課題に対して、その余白部の量を用紙の厚みに基づいて自動的に調整しようとする技術を開示する。特許文献１では、内側の用紙ほど余白量を自動的に少なくするといった調整を行う。これにより、手動設定の煩わしさが軽減され、所望の余白量を得るために何度もテスト印刷を繰り返すといった手間が省かれる。
【０００４】
特許文献１においては中綴じ製本における綴じ代幅を内側の用紙ほど減らしていく考え方が採用されている。しかしながら、用紙の綴じ代を外側に行くにしたがってさらに付加する考え方もあり、本願ではそのような綴じ代幅の自動調節を行う。
【０００５】
以下では、上述の余白や余白部のことを「綴じ代」と呼ぶ。また、綴じ代の面積の大きさに相当する折り目から印刷領域までの距離のことを「綴じ代幅」と呼ぶ。綴じ代の内、綴じ代機能により初期設定により付加された部分を「初期設定された綴じ代」と呼び、上述した自動調節によりさらに付加された部分を「クリープ綴じ代」と呼ぶ。（図４参照）
【発明の概要】
【発明が解決しようとする課題】
【０００６】
従来の中綴じ製本機能では、用紙ごとに綴じ代幅が異なるため、用紙によっては画像がはみ出てしまう場合があり、これが問題であった。つまり、綴じ代幅を外側の用紙ほど増やす綴じ代幅の自動調節を行うと、印刷領域が用紙の印刷可能な領域からはみ出してしまう場合があった。特許文献１では綴じ代を付けた結果、画像が切れてしまうことまでは考慮されていない。
【０００７】
本発明は、上記実情に鑑みてなされたものであって、製本後の厚みを考慮した綴じ代幅調節を行う中綴じ製本印刷において画像切れを生じさせず適切な面付けをすることが可能な画像形成装置、画像形成方法及びプログラムを提供することを目的とする。
【課題を解決するための手段】
【０００８】
上記目的を達成するために本発明は、中綴じ製本印刷における綴じ代幅の初期設定値と、用紙ごとに決定されるクリープ綴じ代幅と、を検知する綴じ代検知手段と、検知された前記初期設定値と前記クリープ綴じ代幅と用紙サイズに基づいて用紙ごとの印刷領域を決定する印刷領域計算手段と、前記印刷領域に面付ける画像の画像サイズと、決定した用紙ごとの前記印刷領域とを比較し、前記画像が前記印刷領域をはみ出るか否かを判定する印刷領域画像サイズ比較手段と、判定の結果、はみ出る場合に、前記画像サイズが前記印刷領域に収まるように前記画像を縮小する画像変倍手段と、を備えることを特徴とする画像形成装置を提供する。
【０００９】
また、上記目的を達成するために本発明は、中綴じ製本印刷における綴じ代幅の初期設定値と、用紙ごとに決定されるクリープ綴じ代幅と、を検知する綴じ代検知工程と、検知された前記初期設定値と前記クリープ綴じ代幅と用紙サイズに基づいて用紙ごとの印刷領域を決定する印刷領域計算工程と、前記印刷領域に面付ける画像の画像サイズと、決定した用紙ごとの前記印刷領域とを比較し、前記画像が前記印刷領域をはみ出るか否かを判定する印刷領域画像サイズ比較工程と、判定の結果、はみ出る場合に、前記画像サイズが前記印刷領域に収まるように前記画像を縮小する画像変倍工程と、を含むことを特徴とする画像形成方法を提供する。
【００１０】
また、上記目的を達成するために本発明は、コンピュータを、中綴じ製本印刷における綴じ代幅の初期設定値と、用紙ごとに決定されるクリープ綴じ代幅と、を検知する綴じ代検知手段と、検知された前記初期設定値と前記クリープ綴じ代幅と用紙サイズに基づいて用紙ごとの印刷領域を決定する印刷領域計算手段と、前記印刷領域に面付ける画像の画像サイズと、決定した用紙ごとの前記印刷領域とを比較し、前記画像が前記印刷領域をはみ出るか否かを判定する印刷領域画像サイズ比較手段と、判定の結果、はみ出る場合に、前記画像サイズが前記印刷領域に収まるように前記画像を縮小する画像変倍手段として動作させることを特徴とするプログラムを提供する。
【発明の効果】
【００１１】
本発明によれば、製本後の厚みを考慮した綴じ代幅調節を行う中綴じ製本印刷において画像切れを生じさせず適切な面付けをすることが可能となる。
【図面の簡単な説明】
【００１２】
【図１】本発明の一実施形態のハードウェア構成を示すブロック図である。
【図２】上記実施形態のソフトウェア構成を示す概念図である。
【図３】上記実施形態の機能構成を示すブロック図である。
【図４】上記実施形態における綴じ代を説明するための概念図である。
【図５】中綴じ製本印刷において画像切れが生じる場合を示す概念図である。
【図６】上記実施形態における効果を説明するための概念図である。
【図７】上記実施形態の中綴じ製本印刷を指示するユーザの操作手順を示すフローチャートである。
【図８】上記実施形態の中綴じ製本印刷における綴じ代設定時自動変倍処理の流れを示すフローチャートである。
【図９】図８のＳ２０８で示す警告画面の一例を示す図である。
【図１０】上記実施形態の中綴じ製本印刷における後処理の流れを示すフローチャートである。
【図１１】上記実施形態の中綴じ製本印刷を指示するユーザの操作手順を示すフローチャートである。
【図１２】上記実施形態の中綴じ製本印刷における綴じ代設定時自動変倍処理の流れを示すフローチャートである。
【図１３】上記実施形態における枠消去幅の再計算を説明するための概念図である。
【図１４】上記実施形態における印字位置の再計算を説明するための概念図である。
【図１５】上記実施形態の中綴じ製本印刷における後処理の流れを示すフローチャートである。
【図１６】上記実施形態において小口裁断をする場合の裁断ラインの再調整の流れを示すフローチャートである。
【図１７】上記実施形態における小口裁断の裁断ラインの再調整を説明するための概念図である。
【図１８】上記実施形態において天地裁断をする場合の裁断ラインの再調整の流れを示すフローチャートである。
【図１９】上記実施形態における天地裁断の裁断ラインの再調整を説明するための概念図である。
【発明を実施するための形態】
【００１３】
以下、本発明を実施するための形態を示す。図１を参照すると、本実施形態のハードウェア構成例が示されている。図１に示すように、本発明の実施形態は典型的には多機能型画像形成装置である。しかしながら、画像形成装置以外の実施も考えられる。
【００１４】
図１において、画像形成装置１は、装置全体を制御する制御装置としてＣＰＵ（中央演算装置）１１１を有する。画像形成装置１は、コピー、スキャナ機能における画像の入力手段として、スキャナエンジン１１８がある。プリント機能における画像の入力手段として外部ホスト機器１２４からの印刷データを受信するホストＩ／Ｆ（インターフェース）制御部１２１があり、このホストＩ／Ｆ制御部１２１のＩ／Ｆの種類としてはＩＥＥＥ１２８４、ＵＳＢ等のローカル接続や有線、無線によるイーサネット（登録商標）等のネットワーク接続がある。ＦＡＸ機能においてはＦＡＸ送信時の画像入力手段は前述のスキャナエンジン１１８の他、外部ホスト機器１２４からもデータ入力可能である。ＦＡＸ受信時は一般公衆回線に接続されたＮＣＵ（ネットワークコントロールユニット）１１９を介してＦＡＸ制御部１２０により印刷データとしてデータの復号化等が行われる。印刷出力手段としてはプリンタエンジン１１６がある、レーザ方式、ＬＥＤ方式、インクジェット方式等の作像方式がある。画像形成装置１には、その他、各ブロックへの指示や制御等を行うＣＰＵ１１１があり、ＲＯＭ１１４に実行するプログラムが格納されており、システムによっては複数個搭載することで処理性能を向上させるシステムもある。ＲＡＭ１１２は揮発メモリであり、ＲＡＭ制御部１１３を介してＣＰＵ１１１をはじめ各ブロックの処理のデータ一時保存に活用される。ＮＶＲＡＭ１１５は不揮発メモリであり、機器固有の情報（各種パラメータ等）等を保持させる用途に使われる。操作部１２２は機器操作のためのボタンや機器状態表示のためのインジケータ（ＬＥＤやＬＣＤ等の表示器、スピーカ等）等、機器操作者とのマンマシンインターフェースである。画像形成装置１は、操作部Ｉ／Ｆ制御部１２３により操作部１２２との情報入出力を行う。また、画像形成装置１は、フィニッシャ１１７を有する。フィニッシャ１１７は、エンジン管理モジュール１３１の制御を受けて中綴じ製本印刷時に用紙ごとに折り目を付けたり、ステープル処理をしたり、小口の裁断処理をしたりする。
【００１５】
図２に、図１の画像形成装置１のソフトウェア構成例を示す。ユーザは、画像形成装置１のマンマシンインターフェースである操作部１２２を介して画像形成装置１を操作する。図１に示したような物理的ハードウェア層の上に、オペレーションシステム１３０が配置され、その上にエンジン管理モジュール１３１や出力画像生成モジュール１３２が配置される。さらにその上に、操作部１２２への表示出力や操作入力を管理するパネル管理モジュール１３３が配置される。さらに、コピーアプリケーション１３４やプリンタアプリケーション１３５が配置されていてもよい。
【００１６】
コピーアプリケーション１３４、プリンタアプリケーション１３５は図１のＣＰＵ１１１にあたりアプリケーション固有の情報を出力画像生成モジュール１３２に通知する。パネル管理モジュール１３３は図１の操作部Ｉ／Ｆ制御部１２３にあたり、操作部１２２から通知された設定情報を出力画像生成モジュール１３２に通知する。また、コピーアプリケーション１３４、プリンタアプリケーション１３５から通知されるエラー情報を受けてユーザに警告画面を表示する。エンジン管理モジュール１３１は図１のＣＰＵ１１１にあたり、各種エンジンから通知される転写紙サイズ等のエンジン情報を出力画像生成モジュール１３２に通知する。また出力画像生成モジュール１３２から通知される画像情報からエンジンに対して印刷の実行を指示する。または、出力画像生成モジュール１３２から通知される画像情報から余白領域を計算してエンジンに裁断を指示する。出力画像生成モジュール１３２では画像の書き込み位置、書き込み領域を計算しＨＤＤ，メモリから必要な容量を確保する。
【００１７】
図１及び図２に示されたようなハードウェアとソフトウェアプログラムの協働により、図３に示すような本実施形態の各種機能ブロックが構成される。図３は、本実施形態の機能構成を示すブロック図である。
【００１８】
パネル管理モジュール１３３により、中綴じ綴じ代設定時自動変倍設定部１３３１が構成される。中綴じ綴じ代設定時自動変倍設定部１３３１は、本実施形態の中綴じ綴じ代設定時自動変倍を実行するか否かに関する設定を記憶しており、実行する場合に、出力画像生成モジュール１３２によって構成される図示の各機能ブロックが所定の処理を実行して、中綴じ綴じ代設定時自動変倍を行う。
【００１９】
出力画像生成モジュール１３２により、クリープ綴じ代検知部１３２１、綴じ代検知部１３２２、印刷領域計算部１３２３、画像サイズ計算部１３２４、印刷領域画像サイズ比較部１３２５、画像変倍部１３２６、自動変倍時印字位置再計算部１３２７、自動変倍時枠消去幅再計算部１３２８が構成される。
【００２０】
クリープ綴じ代検知部１３２１は、ページごとにクリープ綴じ代幅を検知する。クリープ綴じ代幅は、ページ番号と、内側の用紙から外側の用紙へ１枚行くごと増えるクリープ綴じ代の増加量などから計算で求める。一方で、綴じ代検知部１３２２は、初期設定された綴じ代（つまり綴じ代の初期設定値）と、検知されたクリープ綴じ代幅から、ページごとの綴じ代幅を検知する。
【００２１】
図４に、本実施形態における綴じ代を説明するための概念図を示す。図４において、中綴じ製本印刷に使う用紙のセンターラインを折り目とすると、折り目から小口に向かって綴じ代を設けるが、ユーザやシステムのデフォルト設定などにより初期設定された綴じ代がまず配置される。初期設定された綴じ代は、普通、最も内側の用紙の綴じ代である。次に、初期設定された綴じ代の外側（小口側）にクリープ綴じ代が配置される。クリープ綴じ代幅は、外側の用紙ほど多くなるように設定する。なお、図４では、用紙の左側についてのみ図示してあるが、右側、さらに裏面の左側及び右側についても同様に同じ量の綴じ代を設ける。
【００２２】
図４のように、中綴じ製本印刷における綴じ代を設けると、図５に示すように、印刷する画像が小口に向かってシフトする。したがって印刷する画像の大きさによっては画像切れが生じる。図５は、画像切れが発生している状態を示している。
【００２３】
本実施形態では、画像変倍部１３２６により印刷する画像を変倍（特に縮小）して画像が印刷領域に収まるように制御する。これにより画像切れを発生させないようにする。ところが、上述してきたようにクリープ綴じ代はページごとに異なる。したがって、図６に示すように製本時外側に使われる用紙ほどクリープ綴じ代幅が多く画像切れが起きる領域が広い（図６（ｂ））一方、内側に使われる用紙では狭い（図６（ａ））。そこで、本実施形態ではクリープ綴じ代幅に合わせて変倍率を適切に制御する。
【００２４】
再び図３を参照して、残りの各機能ブロックについて説明する。印刷領域検知部１３２３は、少なくとも、クリープ綴じ代検知部１３２１が検知したページごとのクリープ綴じ代幅と、綴じ代検知部１３２２が検知した綴じ代の初期設定値と、用紙サイズに基づいて、印刷領域を決定する。ここで決定する印刷領域は、図５の斜線で示した部分となる。
【００２５】
画像サイズ計算部１３２４は、ページごとにアプリケーション（コピーアプリケーション１３４やプリンタアプリケーション１３５）から画像形成を指示された画像のサイズを計算する。ここでサイズを計算する画像が、上記印刷領域に面付けられることとなる。
【００２６】
印刷領域画像サイズ比較部１３２５は、上記印刷領域と、画像サイズ計算部１３２４で計算した画像のサイズを、ページごとに比較する。そして、比較の結果、画像が印刷領域をはみ出るか否かを判定する。
【００２７】
画像変倍部１３２６は、印刷領域画像サイズ比較部１３２５の判定の結果、はみ出る場合に、画像が上記印刷領域内に収まるように、画像を変倍する（通常は縮小）。その結果、図６に示すように、画像切れを生じさせず適切な面付けをすることが可能となる。
【００２８】
さらに適切な面付けを実現するために、本実施形態では、自動変倍時印字位置再計算部１３２７と自動変倍時枠消去幅再計算部１３２８を備える。自動変倍時枠消去幅再計算部１３２８は、中綴じ製本印刷時に自動変倍調整をする場合に、枠消去幅を再計算する。一方で、自動変倍時印字位置再計算部１３２７は、印字する場合の印字位置の再調整を行う。
【００２９】
エンジン管理モジュール１３１により、裁断時画像サイズ計算部１３１１、用紙検知部１３１２、余白領域裁断指示部１３１３が構成される。裁断時画像サイズ計算部１３１１は、天地や小口の裁断時に裁断ラインを再計算して画像サイズを調整する。用紙検知部１３１２は、給紙されている用紙のサイズを検知する。余白領域裁断指示部１３１３は、天地や小口の裁断時に裁断をフィニッシャ１１７に指示して制御する。
【００３０】
＜中綴じ製本処理１＞
以下、本実施形態の動作について主にフローチャートを参照して説明する。図７に、中綴じ製本印刷を指示するユーザの操作手順を示す。まず、ユーザは、綴じ代設定時自動変倍を設定するか否かを決めていずれかを選択する（Ｓ１０１）。設定しない場合は本旨から外れるので以下では設定することとする。次に、中綴じ設定や週刊誌設定を行った後（Ｓ１０２，Ｓ１０３）、綴じ代幅の初期設定を行う（Ｓ１０４）。ここで決めた値が初期設定値となる。次に、給紙トレイの設定を行い原稿セットをした後、コピースタートキーを押下する（Ｓ１０５〜Ｓ１０７）。
【００３１】
図８に、綴じ代設定時自動変倍処理の流れを示す。綴じ代検知部１３２２は、Ｓ１０４でユーザに設定された綴じ代幅（綴じ代幅の初期設定値）を綴じ代幅とする（Ｓ２０１）。次に用紙サイズを決定する（Ｓ２０２）。次にクリープ綴じ代幅を決定する（Ｓ２０３）。次に印刷領域計算部１３２３がＳ２０１，Ｓ２０２，Ｓ２０３で決定したパラメータに基づいて印刷領域を決定する（Ｓ２０４）。次に画像サイズ計算部１３２４が画像サイズを決定する（Ｓ２０５）。
【００３２】
主に印刷領域画像サイズ比較部１３２５がＳ２０６からＳ２０９を実行する。まず「綴じ代設定時自動変倍設定（Ｓ１０１で設定したもの）」がされているか否かを判断する（Ｓ２０６）。次に印刷領域から画像がはみ出しているか否かを判定する（Ｓ２０７）。この判定は、言い換えれば、印刷領域に対して画像サイズが収まっているかどうかの判定である。はみ出している場合には図９に示すような警告画面を表示する（Ｓ２０８）。ユーザの操作により自動変倍が指示されると（Ｓ２０９のＹｅｓ）、画像変倍部１３２６が自動変倍処理を実行する。
【００３３】
自動変倍処理はＳ２１０とＳ２１１の２処理を含む。まず、画像サイズと印刷領域から変倍率を計算する（Ｓ２１０）。次に、画像サイズの拡大又は縮小を行う（Ｓ２１１）。出力画像生成モジュール１３２は面付け処理を行い出力画像を生成し（Ｓ２１２）、エンジン管理モジュール１３１に印刷実行を指示する（Ｓ２１３）。Ｓ２０２ないしＳ２１３のプロセスはページごとに実行され全ページに実行されると後処理に移る（Ｓ２１４）。
【００３４】
図１０に、後処理の流れを示す。後処理はエンジン管理モジュール１３１が制御実行しフィニッシャ１１７が実行する。エンジン管理モジュール１３１は、中綴じ設定されているか確認し（Ｓ３０１。これはＳ１０２で設定されている）、設定されている場合に中綴じ製本処理を実行する（Ｓ３０２）。これは、用紙ごとに折り目を付けたり、ステープル処理をしたり、小口の裁断処理をしたりする処理である。
【００３５】
本実施形態によれば、図７ないし図１０に示したような流れで中綴じ製本処理を行い、ページごとに面付けする画像が印刷領域からはみ出すか否かを判定し、はみ出す場合に自動的に変倍処理を実行するので、図６に示すように、画像切れを生じさせず適切な面付けをすることが可能となる。
【００３６】
＜中綴じ製本処理２＞
図７ないし図１０に示したような中綴じ製本処理に加えて、さらに本実施形態では、天地裁断、枠消去、印字位置調整を行い、画像切れがなくさらに適切な面付けを可能とする。図１１以下で天地裁断、枠消去、印字位置調整を行う中綴じ製本処理の流れを示す。
【００３７】
図１１は、中綴じ製本印刷を指示するユーザの操作手順であって図７の変形である。綴じ代設定時自動変倍設定を設定する操作（Ｓ４０１）は、Ｓ１０１と同じである。図７と異なる点は、Ｓ１０１以降に「変倍自動裁断」、「小口裁断」、「印字」、「枠消去」を各々設定する操作が点である（Ｓ４０２，Ｓ４０３，Ｓ４０４，Ｓ４０５）。Ｓ４０６以降は図７と同じである。Ｓ４０２，Ｓ４０３，Ｓ４０４，Ｓ４０５の設定がなされると図１２に示す処理の流れの中でその設定が反映される。
【００３８】
図１２は、中綴じ製本印刷における綴じ代設定時自動変倍処理の流れであって図８の変形である。図８と異なる点は、クリープ綴じ代幅の決定（Ｓ５０３）の後、小口裁断幅の決定を行う（Ｓ５０４）こと、印刷領域の決定（Ｓ５０５）の後、枠消去幅と印字位置の決定を行う（Ｓ５０６，Ｓ５０７）こと、面付け処理（Ｓ５１５）の後、枠消去幅の再計算と印字位置の再調整を行う（Ｓ５１６，Ｓ５１７）である。Ｓ５１７は自動変倍時印字位置再計算部１３２７が、Ｓ５１６は自動変倍時枠消去幅再計算部１３２８が実行する。
【００３９】
＜枠消去幅の再計算＞
Ｓ４０５で枠消去が設定されている場合、ページごとにＳ５０６で決定される枠消去幅を、Ｓ５１４で指定された変倍率も加味して枠消去幅を再調整する。枠消去幅とは、図１３（ａ）に示すようにページごとに定められている画像の表示されないエリアである。枠消去幅が、変倍後の画像サイズに合わせて再計算される。その結果、図１３（ｂ）に示すような調整された枠消去幅で枠が配置された上で出力画像が生成される。
【００４０】
＜印字位置の再計算＞
Ｓ４０４で印字が設定されている場合、ページごとにＳ５０７で決定される印字位置を、Ｓ５２４で指定された変倍率も加味して印字位置を再調整する。これは変倍率によって印字切れする可能性があるため、変倍後の画像サイズを考慮して印字位置を再調整するものである。図１４に印字位置の再調整を示す。印字位置の再調整は、再計算された枠消去幅から印字位置の再計算を行う。
【００４１】
図１５に、図１１と図１２の流れで中綴じ製本印刷を行ったときの後処理の流れを示す。図１５は、図１０の変形である。Ｓ６０１で小口裁断処理をＳ６０２で天地裁断処理を実行する点が異なる他は同じである。なお、図１５は、図１１のＳ４０３で小口裁断が設定されていることが前提となっている。
【００４２】
＜小口裁断時の裁断ラインの再計算＞
小口裁断処理（図１５のＳ６０１）の詳細な流れを図１６に示す。小口裁断自画像サイズ計算部１３１１は、再計算された画像サイズと用紙サイズから小口の余白領域を計算し（Ｓ７０１）、余白領域裁断指示部１３１３が裁断を実行する（Ｓ７０２）。図１７に小口裁断時の印刷領域再調整例を示す。
【００４３】
＜天地裁断時の裁断ラインの再計算＞
天地裁断処理（図１５のＳ６０２）の詳細な流れを図１８に示す。裁断時画像サイズ計算部１３１１は、再計算された画像サイズと用紙サイズから上下の余白領域を計算し（Ｓ８０１）、余白領域裁断指示部１３１３が裁断を実行する（Ｓ８０２）。図１９に天地裁断時の印刷領域再調整例を示す。
【００４４】
上述した本実施形態によれば、枠消去幅、印字位置、小口裁断時又は天地裁断時の裁断ラインが、画像の変倍に合わせて再計算された上で、印刷領域に面付けされる画像サイズが調整されるので、最適な面付けが可能となる。また、本実施形態によれば高品位な中綴じ製本印刷が実現する。
【符号の説明】
【００４５】
１    画像形成装置
１３１    エンジン管理モジュール
１３１１    裁断時画像サイズ計算部
１３１２    用紙検知部
１３１３    余白領域裁断指示部
１３２    出力画像生成モジュール
１３２１    クリープ綴じ代検知部
１３２２    綴じ代検知部
１３２３    印刷領域検知部
１３２４    画像サイズ計算部
１３２５    印刷領域画像サイズ比較部
１３２６    画像変倍部
１３２７    自動変倍時印字位置再計算部
１３２８    自動変倍時枠消去幅再計算部
１３３    パネル管理モジュール
１３３１    中綴じ綴じ代設定時自動変倍設定部
【先行技術文献】
【特許文献】
【００４６】
【特許文献１】特許第４２３５４７２号公報
【図１】
2013110557.tif 000003
【図２】
2013110557.tif 000004
【図３】
2013110557.tif 000005
【図４】
2013110557.tif 000006
【図５】
2013110557.tif 000007
【図６】
2013110557.tif 000008
【図７】
2013110557.tif 000009
【図８】
2013110557.tif 000010
【図９】
2013110557.tif 000011
【図１０】
2013110557.tif 000012
【図１１】
2013110557.tif 000013
【図１２】
2013110557.tif 000014
【図１３】
2013110557.tif 000015
【図１４】
2013110557.tif 000016
【図１５】
2013110557.tif 000017
【図１６】
2013110557.tif 000018
【図１７】
2013110557.tif 000019
【図１８】
2013110557.tif 000020
【図１９】
2013110557.tif 000021